(57)【要約】本発明は室内または室外にスローガン、広告または各種装飾物をかける表示装置である。導電体と発光ユニットを備え、導電体は正極導電体と負極導電体を、発光ユニットは基板及び発光体を含んでいる。発光体が所定の文字、アルファベットまたはグラフィックスのパターンに従って、基板に配列され、さらに発光体の正極と負極がそれぞれ導電体の正極導電体と負極導電体に様々な構成で電気的に接続され、発光体の正極導電体と負極導電体が発光体の正極と負極と接続された時には、発光体を発光させ、所定の文字、アルファベット符号またはグラフィックスが表示され、異なった意味を表す発光ユニットを組み合わせて、導電体に固定すると、一定の意味内容を形成して表示することができる。表示装置を使用しないまたは表示内容を取り換えたい場合には、導電体に固定された発光ユニットを取り外し、使用上には極めで便利である。本発明はデザインが巧みで、持ち運びには便利で実用的な表示装置である。
2007514191.tif 000002
【特許請求の範囲】
【請求項１】
導電体及び発光ユニットを含み、該導電体は正極導電体と負極導電体を、該発光ユニットは基板及び発光体を含んで、前記発光体が所定の文字、アルファベットまたはグラフィックスのパターンに従って前記基板に配列され、さらに該発光体の正極と負極がそれぞれ前記導電体の正極導電体と負極導電体に電気的に接続され、該導電体の正極導電体と負極導電体が電源に接続される表示装置。
【請求項２】
前記導電体が支持フレームに設置されることを特徴とする請求項１に記載の表示装置。
【請求項３】
前記導電体が前記支持フレームに設置された少なくとも２本の正極導電ロッドと負極導電ロッドからなることを特徴とする請求項２に記載の表示装置。
【請求項４】
前記導電体が直接に支持フレームとして使われることを特徴とする請求項１に記載の表示装置。
【請求項５】
前記導電体の２本の正極導電ロッドと負極導電ロッドが直接に支持フレームとして使われることを特徴とする請求項４に記載の表示装置。
【請求項６】
前記発光体の正極と負極が前記基板の背面に設置され、該発光体の正極と負極がそれぞれ正極スナップオンクリップと負極スナップオンクリップとして作製され、前記導電体の正極導電ロッドと負極導電ロッドにスナップオン方式で装着される請求項３または５に記載の表示装置。
【請求項７】
前記発光体の正極と負極がそれぞれ前記基板の背面に配置された正極スナップオンクリップと負極スナップオンクリップに接続され、前記発光ユニットは該基板の背面の正極スナップオンクリップと負極スナップオンクリップによって、前記導電体の正極導電ロッドと負極導電ロッドに装着されることを特徴とする請求項３または５に記載の表示装置。
【請求項８】
前記正極スナップオンクリップと前記負極スナップオンクリップとの間の距離が、前記正極導電ロッドと前記負極導電ロッドとの間距離に相当することを特徴とする請求項６または７に記載の表示装置。
【請求項９】
前記正極導電ロッドと負極導電ロッドが平行に設置されることを特徴とする請求項８に記載の表示装置。
【請求項１０】
前記支持フレームに設置された正極導電ロッドと負極導電ロッドと交替で設置され、正極導電ロッドと正極導電ロッドとの間が電気的に接続され、負極導電ロッドと負極導電ロッドとの間も電気的に接続されることを特徴とする請求項９に記載の表示装置。
【請求項１１】
前記導電体の正極導電体と負極導電体が前記支持フレームに設けられた凹形の溝Aの中に設置され、前記発光ユニットの基板には該凹形の溝Aに対応する挿入突起Bが設けられ、該発光ユニットの正極と負極が該挿入突起Bに設置され、該発光ユニットの挿入突起Bが該支持フレームに設けられた凹形の溝Aに挿着され、該発光ユニットの正極と負極がそれぞれ該導電体の正極導電体と負極導電体に電気的に接続されることを特徴とする請求項１に記載の表示装置。
【請求項１２】
前記導電体の正極導電体と負極導電体がそれぞれ前記支持フレームに設けられた凹形の溝A1、A2の中に設置され、前記発光ユニットの基板には該凹形の溝A1、A2に対応する挿入突起B1、B2が設けられ、該発光ユニットの正極と負極が該挿入突起B1、B2に設置され、該発光ユニットの挿入突起B1、B2が該支持フレームに設けられた凹形の溝A1、A2に挿着され、該発光ユニットの正極と負極がそれぞれ該導電体の正極導電体と負極導電体に電気的に接続されることを特徴とする請求項1に記載の表示装置。
【請求項１３】
前記導電体の正極導電体と負極導電体が前記支持フレームに設けられたソケットまたはジャックの中に設置され、前記発光ユニットの正極と負極が前記基板に設けられたソケットまたはジャックに設置され、プラグが導線を介してプラグと接続され、該発光ユニットが該プラグを介して該支持フレームに設けられたソケットまたはジャックに挿着され、該発光ユニットの正極と負極が該プラグを介して該支持フレームに設けられたソケットまたはジャックに挿着され、該発光ユニットの正極と負極がそれぞれ該導電体の正極導電体と負極導電体に電気的に接続されることを特徴とする請求項1に記載の表示装置。
【請求項１４】
前記導電体の正極導電体と負極導電体がそれぞれ前記支持フレームに設けられたソケットまたはジャックの中に設置され、前記発光ユニットの正極と負極が前記基板に設けられたプラグに設置され、プラグが導線を介してプラグと接続され、該発光ユニットの正極と負極が前記基板に設けられたソケットまたはジャックに設置され、該プラグが該導線を介して該プラグと接続され、該発光ユニットが該プラグを介して該支持フレームに設けられたソケットまたはジャックに挿着され、該発光ユニットの正極と負極が該プラグを介して該支持フレームに設けられたソケットまたはジャックに挿着され、該発光ユニットの正極と負極がそれぞれ該導電体の正極導電体と負極導電体に電気的に接続されることを特徴とする請求項1に記載の表示装置。
【請求項１５】
前記導電体の正極導電体と負極導電体が前記支持フレームに設けられたソケットまたはジャックの中に設置され、前記発光ユニットの正極と負極が前記基板に設けられたプラグまたはソケットに設置され、該発光ユニットが該プラグまたはソケットを介して該支持フレームに設けられたソケットまたはジャックに挿着され、該発光ユニットの正極と負極がそれぞれ該導電体の正極導電体と負極導電体に電気的に接続されることを特徴とする請求項1に記載の表示装置。
【請求項１６】
前記導電体の正極導電体と負極導電体がそれぞれ前記支持フレームに設けられたソケットまたはジャックの中に設置され、前記発光ユニットの基板に設けられた正極と負極が該支持フレームに設けられたソケットまたはジャックに直接に挿着され、または、前記発光ユニットの正極と負極が前記基板に設けられたプラグに設置され、該発光ユニットが該プラグを介して該支持フレームに設けられたソケットまたはジャックに挿着され、該発光ユニットの正極と負極がそれぞれ該導電体の正極導電体と負極導電体に電気的に接続されることを特徴とする請求項1に記載の表示装置。
【請求項１７】
前記支持フレームに凹形の溝が設けられ、前記導電体の正極導電体と負極導電体が電極ボードとして作製され、それぞれ該支持フレームに設けられた凹形の溝の上下内側に設置され、前記発光ユニットの正極と負極が弾性電極として作製され、それぞれ前記基板の上側及び下側に設置され、該発光ユニットの基板が該支持フレームに設置された凹形の溝に挿着され、該発光ユニットの正極と負極がそれぞれ該導電体の正極導電体と負極導電体に電気的に接続されることを特徴とする請求項1に記載の表示装置。
【請求項１８】
前記支持フレームに設けられた凹形の溝がその上内側または下内側にあり、前記導電体の正極導電体と負極導電体が電極ボードとして作製され、全部該支持フレームの上内側あるいは下内側に設置され、前記発光ユニットの正極と負極が弾性電極として作製され、それぞれ前記基板の上側に設置され、該発光ユニットの基板が該支持フレームに設置された凹形の溝に挿着され、該発光ユニットの正極と負極がそれぞれ該導電体の正極導電体と負極導電体に電気的に接続されることを特徴とする請求項1に記載の表示装置。
【請求項１９】
前記支持フレームが磁性薄膜として作製され、前記導電体の正極導電体と負極導電体が該磁性薄膜に設置され、前記発光ユニットの正極と負極がそれぞれ前記基板の背面に設置され、該発光ユニットが該基板の背面に設けられた磁性部品で該支持フレームに吸着され、該発光ユニットの正極と負極がそれぞれ該導電体の正極導電体と負極導電体に電気的に接続されることを特徴とする請求項1に記載の表示装置。
【請求項２０】
前記導電体が棒状に作製され、前記正極導電体と前記負極導電体が交替で設置され、そして該正極導電体と正極導電体との間が電気的に接続され、該負極導電体と負極導電体との間も電気的に接続され、いずれの正極導電体もその隣接した負極導電体との間の距離が前記発光ユニットの正極と負極との間の距離に相当することを特徴とする請求項1８に記載の表示装置。
【請求項２１】
前記導電体が格子構造に作製され、いずれの前記正極導電体もその隣接した前記負極導電体との間の距離が前記発光ユニットの正極と負極との間の距離に相当することを特徴とする請求項1８に記載の表示装置。
【請求項２２】
前記発光体が発光ダイオードであることを特徴とする請求項１乃至請求項２１のいずれか１項に記載の表示装置。
【請求項２３】
前記発光体が基板の正面に配列されることを特徴とする請求項２２に記載の表示装置。
【発明の詳細な説明】
【技術分野】
【０００１】
本発明は室内または室外において、スローガン、広告または各種装飾物をかける表示装置に関し、特に文字、符号及びグラフィックスを表示する発光ダイオード表示装置に関し、先進の表示装置技術に属される。
【背景技術】
【０００２】
従来の文字、符号及びグラフィックスを表示する発光ダイオード表示装置においては、ダイオードモジュールが文字、符号及びグラフィックスを表示するフレームに固定され、それに電源制御が加えられ、表示装置に様々な異なったグラフィックスや画像を表示することができる。このタイプの表示装置の短所は装置のサイズも重さも大きいし、そして取り付けが面倒で、移動させることも難しい、表示する内容を換えることが不便であって、作業者にも多くの不便を招き、特に室外の地面から離れた壁面、足場、ローリングタワーなどのところで取り付ける時には、作業者が転落することが懸念される。
【発明の開示】
【発明が解決しようとする課題】
【０００３】
本発明は前記の問題点に鑑みて、重さが軽く、取り付けることが容易で、持ち運び及び表示内容を取り換えることが便利である表示装置を提供することを目的とする。本発明は作業者が簡単に取り付けることができ、作業員の安全が確保され、作製コストも取り付けるコストも低い表示装置である。
【課題を解決するための手段】
【０００４】
本発明は、構成概略図に示すような表示装置であり、その特徴は導電体（2）及び発光ユニット（3）を含み、導電体（2）が正極導電体（21）と負極導電体（22）を、発光ユニット（3）が基板（31）及び発光体（32）を含んでいる。発光体（32）が所定の文字、アルファベットまたはグラフィックスのパターンに従って、基板（31）に配列され、さらに発光体（32）の正極（32A）と負極（32B）がそれぞれ導電体（2）の正極導電体（21）と負極導電体（22）に接続され、導電体（2）の正極導電体（21）と負極導電体（22）が電源に電気的に接続される。
【０００５】
上記の導電体（2）が支持フレーム（1）に設置され、または導電体（2）が直接に支持フレーム（1）として使われる。
【０００６】
上記の導電体（2）が支持フレーム（1）に設置された少なくとも２本の正極導電ロッドと負極導電ロッドからなり、または導電体（2）の２本の正極導電ロッドと負極導電ロッドが直接に支持フレーム（1）として使われる。
【０００７】
上記の発光体（32）の正極（32A）と負極（32B）が基板（31）の背面に設置され、発光体（32）の正極（32A）と負極（32B）がそれぞれ正極スナップオンクリップ（31A）と負極スナップオンクリップ（31B）として作製され、それぞれ導電体（2）の正極導電ロッドと負極導電ロッドにスナップオン方式で装着される；または発光体（32）の正極（32A）と負極（32B）がそれぞれ基板（31）の背面に設置された正極スナップオンクリップ（31A）と負極スナプオンクリップ（31B）に接続され、発光ユニット（3）は基板（31）の背面に設置された正極スナップオンクリップ（31A）と負極スナップオンクリップ（31B）によって、導電体（2）の正極導電ロッドと負極導電ロッドに装着される。
【０００８】
上記の正極スナップオンクリップと負極スナップオンクリップとの距離が正極導電ロッドと負極導電ロッドとの距離に相当する。
【０００９】
上記の正極導電ロッドと負極導電ロッドが平行に設置される。
【００１０】
上記の支持フレーム（1）に正極導電ロッドと負極導電ロッドと交替で設置され、正極導電ロッドと正極導電ロッドとの間が電気的に接続され、負極導電ロッドと負極導電ロッドとの間も電気的に接続される。
【００１１】
上記の導電体（2）の正極導電体（21）と負極導電体（22）が支持フレーム（1）に設けられた凹形の溝Aの中に設置され、発光ユニット（3）の基板（31）には凹形の溝Aに対応する挿入突起Bが設けられ、発光ユニット（3）の正極（32A）と負極（32B）が挿入突起Bに設置され、発光ユニット（3）の挿入突起Bが支持フレーム（1）に設けられた凹形の溝Aに挿着され、発光ユニット（3）の正極（32A）と負極（32B）がそれぞれ導電体（2）の正極導電体(21)と負極導電体（22）に電気的に接続される。
【００１２】
上記の導電体（2）の正極導電体（21）と負極導電体（22）がそれぞれ支持フレーム（1）に設けられた凹形の溝A1、A2の中に設置され、発光ユニット（3）の基板（31）には凹形の溝A1、A2に対応する挿入突起B1、B2が設けられ、発光ユニット（3）の正極（32A）と負極（32B）が挿入突起B1、B2に設置され、発光ユニット（3）の挿入突起B1、B2が支持フレーム（1）に設けられた凹形の溝A1、A2に挿着され、発光ユニット（3）の正極（32A）と負極（32B）がそれぞれ導電体（2）の正極導電体(21)と負極導電体（22）に電気的に接続される。
【００１３】
上記の導電体（2）の正極導電体（21）と負極導電体（22）が支持フレーム（1）に設けられたソケットまたはジャック（4）の中に設置され、発光ユニット（3）の正極（32A）と負極（32B）が基板（31）に設けられたソケットまたはジャック（8）に設置され、プラグ（5）が導線（6）を介してプラグ（7）と接続され、発光ユニット（3）がプラグ（7）を介して支持フレーム（1）に設けられたソケットまたはジャック（4）に挿着され、発光ユニット（3）の正極（32A）と負極（32B）がプラグ（5）を介して支持フレーム（1）に設けられたソケットまたはジャック（8）に挿着され、発光ユニット（3）の正極（32A）と負極（32B）がそれぞれ導電体（2）の正極導電体(21)と負極導電体（22）に電気的に接続される。
【００１４】
上記の導電体（2）の正極導電体（21）と負極導電体（22）がそれぞれ支持フレーム（1）に設けられたソケットまたはジャック（41）、（42）の中に設置され、発光ユニット（3）の正極（32A）と負極（32B）が基板（31）に設けられたプラグ（51）、(52)に設置され、プラグ（51）、（52）が導線（61）、（62）を介してプラグ（71）、（72）と接続され、発光ユニット（3）の正極（32A）と負極（32B）が基板（31）に設けられたソケットまたはジャック（81）、(82)に設置され、プラグ（51）、（52）が導線（61）、（62）を介してプラグ（71）、（72）と接続され、発光ユニット（3）がプラグ（71）、（72）を介して支持フレーム（1）に設けられたソケットまたはジャック（41）、（42）に挿着され、発光ユニット（3）の正極（32A）と負極（32B）がプラグ（51）、（52）を介して支持フレーム（1）に設けられたソケットまたはジャック（81）、（82）に挿着され、発光ユニット（3）の正極（32A）と負極（32B）がそれぞれ導電体（2）の正極導電体(21)と負極導電体（22）に電気的に接続される。
【００１５】
上記の導電体（2）の正極導電体（21）と負極導電体（22）が支持フレーム（1）に設けられたソケットまたはジャック（4）の中に設置され、発光ユニット（3）の正極（32A）と負極（32B）が基板（31）に設けられたプラグまたはソケット（5）に設置され、発光ユニット（3）がプラグまたはソケット（5）を介して支持フレーム（1）に設けられたソケットまたはジャック（4）に挿着され、発光ユニット（3）の正極（32A）と負極（32B）がそれぞれ導電体（2）の正極導電体(21)と負極導電体（22）に電気的に接続される。
【００１６】
上記の導電体（2）の正極導電体（21）と負極導電体（22）がそれぞれ支持フレーム（1）に設けられたソケットまたはジャック（41）、（42）の中に設置され、発光ユニット（3）の基板（31）に設けられた正極（32A）と負極（32B）が支持フレーム（1）に設けられたソケットまたはジャック（41）、（42）に直接に挿着され、または発光ユニット（3）の正極（32A）と負極（32B）が基板（31）に設けられたプラグ（51）、(52)に設置され、発光ユニット（3）がプラグ（51）、（52）を介して支持フレーム（1）に設けられたソケットまたはジャック（41）、（42）に挿着され、発光ユニット（3）の正極（32A）と負極（32B）がそれぞれ導電体（2）の正極導電体(21)と負極導電体（22）に電気的に接続される。
【００１７】
上記の支持フレーム（1）に凹形の溝が設けられ、導電体（2）の正極導電体（21）と負極導電体（22）が電極ボードとして作製され、それぞれ支持フレーム（1）に設けられた凹形の溝の上下内側に設置され、発光ユニット（3）の正極（32A）と負極（32B）が弾性電極として作製され、それぞれ基板（31）の上側及び下側に設置され、発光ユニット（3）の基板（31）が支持フレーム（1）に設置された凹形の溝に挿着され、発光ユニット（3）の正極（32A）と負極（32B）がそれぞれ導電体（2）の正極導電体(21)と負極導電体（22）に電気的に接続される。
【００１８】
上記の支持フレーム（1）に設けられた凹形の溝がその上内側または下内側にあり、導電体（2）の正極導電体（21）と負極導電体（22）が電極ボードとして作製され、全部支持フレーム（1）の上内側あるいは下内側に設置され、発光ユニット（3）の正極（32A）と負極（32B）が弾性電極として作製され、それぞれ基板（31）の上側に設置され、発光ユニット（3）の基板（31）が支持フレーム（1）に設置された凹形の溝に挿着され、発光ユニット（3）の正極（32A）と負極（32B）がそれぞれ導電体（2）の正極導電体(21)と負極導電体（22）に電気的に接続される。
【００１９】
上記の支持フレーム（1）が磁性薄膜として作製され、導電体（2）の正極導電体（21）と負極導電体（22）が磁性薄膜の上に設置され、発光ユニット（3）の正極（32A）と負極（32B）がそれぞれ基板（31）の背面に設置され、発光ユニット（3）が基板（31）の背面に設けられた磁性部品（8）で支持フレーム（1）に吸着され、発光ユニット（3）の正極（32A）と負極（32B）がそれぞれ導電体（2）の正極導電体(21)と負極導電体（22）に電気的に接続される。
【００２０】
上記の導電体（2）が棒状に作製され、正極導電体（21）と負極導電体（22）が交替で設置され、そして正極導電体と正極導電体との間が電気的に接続され、負極導電体と負極導電体との間も電気的に接続され、いずれの正極導電体（21）もその隣接した負極導電体（22）との間の距離が発光ユニット（3）の正極（32A）と負極（32B）との間の距離に相当する。
【００２１】
上記の導電体（2）が格子構造に作製され、いずれの正極導電体(21)もその隣接した負極導電体（22）との間の距離が発光ユニット（3）の正極（32A）と負極（32B）との間の距離に相当する。
【００２２】
上記の発光体（32）は発光ダイオードである。
【００２３】
上記の発光体（32）は基板（31）の正面に配列される。
【発明の効果】
【００２４】
本発明は導電体及び発光ユニットを含む構成が採用され、導電体が正極導電体と負極導電体を、発光ユニットが基板及び発光体を含んでいる。発光体が所定の文字、アルファベットまたはグラフィックスのパターンに従って、基板に配列され、さらに発光体の正極と負極がそれぞれ発光体の正極導電体と負極導電体に様々な構成で電気的に接続される。そのため、発光体の正極導電体と負極導電体が発光体の正極と負極と接続された時には、発光体を発光させ、所定の文字、アルファベット符号またはグラフィックスが表示され、それぞれ異なった意味を表す発光ユニットを組み合わせて、導電体に固定すると、一定の意味内容を形成して表示することができる。表示装置を使用しないまたは表示内容を取り換えたい場合には、導電体に固定された発光ユニットを取り外し、使用上には極めて便利である。本発明は構成が簡単で、作業者が簡単に取り付けることができ、作業員の安全が確保され、作製コストもインストールするコストも低い表示装置である。それに必要に応じて簡単に表示内容を取り換えることができる；さらに、発光ダイオードは使用する電力が低く、安全な低電圧電源で駆動でき、よりよい安全性が確保され、デザインが巧みで、持ち運びには便利で、優れた性能を有し、便利且つ実用的な表示装置である。
【発明を実施するための最良の形態】
【００２５】
以下実施例において、本発明の表示装置について図を用いて説明する。全図において、共通する要素には同一の符号を用いることとする。
【実施例１】
【００２６】
本発明の構成概略図は図1−1、図1−2、図1−3、図1−4、図1−5に示すように、導電体（2）及び発光ユニット（3）を含んでいる。導電体（2）は正極導電体（21）と負極導電体（22）を、発光ユニット（3）は基板（31）及び発光体（32）を含んでいる。発光体（32）が所定の文字、アルファベットまたはグラフィックスのパターンに従って、基板（31）に配列され、さらに発光体（32）の正極（32A）と負極（32B）がそれぞれ導電体（2）の正極導電体（21）と負極導電体（22）に電気的に接続され、導電体（2）の正極導電体（21）と負極導電体（22）が電源に電気的に接続される。本実施例においては、上記の発光体は発光ダイオードとする。
【００２７】
本実施例においては、上記の発光体（32）が基板（31）の正面に配列され、導電体（2）が支持フレーム（1）に設置された少なくとも２本の正極導電ロッドと負極導電ロッドからなっている。上記の発光体（32）の正極（32A）と負極（32B）が基板（31）の背面に設置され、発光体（32）の正極（32A）と負極（32B）がそれぞれ正極スナップオンクリップと負極スナップオンクリップとして作製され、導電体（2）の正極導電ロッドと負極導電ロッドにスナップオン方式で装着される。または、発光体（32）の正極（32A）と負極（32B）がそれぞれ基板（31）の背面に配置された正極スナップオンクリップと負極スナップオンクリップに接続され、発光ユニット（3）が基板（31）の背面に配置された正極スナップクリップと負極スナップオンクリップによって、導電体（2）の正極導電ロッドと負極導電ロッドに装着される。正極スナップオンクリップと負極スナップオンクリップとの距離は正極導電ロッドと負極導電ロッドとの距離に相当する。
【００２８】
本実施例中においては、作製と装着を容易にするため、上記の正極導電ロッドと負極導電ロッドが平行に設置され、そして支持フレーム（1）に正極導電ロッドと負極導電ロッドと交替で設置され、正極導電ロッドと正極導電ロッドとの間が電気的に接続され、負極導電ロッドと負極導電ロッドとの間も電気的に接続される。
【００２９】
本発明を使用する時には、図1−4、図1−5に示すように、導電体（2）の正極導電ロッドと負極導電ロッドを低電圧電源に接続して、発光ユニット（3）が基板（31）の背面の正極スナップオンクリップと負極スナップオンクリップによって導電体（2）の正極導電ロッドと負極導電ロッドに装着され、発光体（32）を発光させ、設定された発光文字、アルファベット符号またはグラフィックスが表示され、それぞれ異なった意味を表す発光ユニットを組み合わせて、導電体（2）の正極導電ロッドと負極導電ロッドに固定すると、一定の意味内容を表示することができる。
【００３０】
表示装置を使用しない、または表示内容を取り換えたい場合には、導電体（2）の正極導電ロッドと負極導電ロッドに固定された発光ユニット（3）を取り外せばよく、使用上には極めて便利である。
【実施例２】
【００３１】
本発明の構成概略図は図2−1、図2−2、図2−3、図2−4、図2−5に示すように、その構成が実施例1と違ったところは上記の導電体（2）の正極導電体（21）と負極導電体（22）が支持フレーム（1）に設けられた凹形の溝Aの中に設置され、発光ユニット（3）の基板（31）には凹形の溝Aに対応する挿入突起Bが設けられ、発光ユニット（3）の正極（32A）と負極（32B）が挿入突起Bに設置され、発光ユニット（3）の挿入突起Bが支持フレーム（1）に設けられた凹形の溝Aに挿着され、発光ユニット（3）の正極（32A）と負極（32B）がそれぞれ導電体（2）の正極導電体(21)と負極導電体（22）に電気的に接続される。
【００３２】
本発明を使用するときには、図2−5に示すように、導電体（2）の正極導電体（21）と負極導電体（22）を低電圧電源に接続し、発光ユニット（3）の挿入突起Bを支持フレーム（1）に設けられた凹形の溝Aに挿着して、導電体（2）の正極導電体（21）と負極導電体（22）が発光体（32）の正極（32A）と負極（32B）と接続され、発光体（32）が発光して、設定された発光文字、アルファベット符号またはグラフィックスが表示され、それぞれ異なった意味を表す発光ユニット（3）を支持フレーム（1）に設けられた凹形の溝Aに挿着すると、一定の意味内容を表示することができる。
【００３３】
表示装置を使用しない、または表示内容を取り換えたい場合には、支持フレーム（1）の凹形の溝Aに装着された発光ユニット（3）を取り外し、使用上には極めて便利である。
【実施例３】
【００３４】
本発明の構成概略図は図3−1、図3−2、図3−3、図3−4、図3−5に示すように、その構成が実施例1と違ったところは上記の導電体（2）の正極導電体（21）と負極導電体（22）がそれぞれ支持フレーム（1）に設けられた凹形の溝A1、A2の中に設置され、発光ユニット（3）の基板（31）には凹形の溝A1、A2に対応する挿入突起B1、B2が設けられ、発光ユニット（3）の正極（32A）と負極（32B）が挿入突起B1、B2に設置され、発光ユニット（3）の挿入突起B1、B2が支持フレーム（1）に設けられた凹形の溝A1、A2に挿着され、発光ユニット（3）の正極（32A）と負極（32B）がそれぞれ導電体（2）の正極導電体(21)と負極導電体（22）に電気的に接続される。
【００３５】
本発明を使用する時には、図3−5に示すように、導電体（2）の正極導電体（21）と負極導電体（22）を低電圧電源に接続して、発光ユニット（3）の挿入突起B1、B2を支持フレーム（1）に設けられた凹形の溝A1、A2に挿着して、導電体（2）の正極導電体（21）と負極導電体（22）が発光体（32）の正極（32A）と負極（32B）と接続させる。他の原理は実施例２に類似している。
【実施例４】
【００３６】
本発明の構成概略図は図4−1、図4−2、図4−3、図4−4に示すように、その構成が実施例1と違ったところは上記の導電体（2）の正極導電体（21）と負極導電体（22）が支持フレーム（1）に設けられたソケットまたはジャック（4）の中に設置され、発光ユニット（3）の正極（32A）と負極（32B）が基板（31）に設けられたソケットまたはジャック（8）に設置され、プラグ（5）が導線（6）を介してプラグ（7）と接続され、発光ユニット（3）がプラグ（7）を介して支持フレーム（1）に設けられたソケットまたはジャック（4）に挿着され、発光ユニット（3）の正極（32A）と負極（32B）がプラグ（5）を介して支持フレーム（1）に設けられたソケットまたはジャック（8）に挿着され、発光ユニット（3）の正極（32A）と負極（32B）がそれぞれ導電体（2）の正極導電体(21)と負極導電体（22）に電気的に接続される。
【００３７】
本発明を使用する時には、図4−4に示すように、導電体（2）の正極導電体（21）と負極導電体（22）を低電圧電源に接続して、導電体（2）の正極導電体（21）と負極導電体（22）が発光体（32）の正極（32A）と負極（32B）と接続される。他の原理は実施例２に類似している。
【実施例５】
【００３８】
本発明の構成概略図は図5−1、図5−2、図5−3、図5−4に示すように、その構造が実施例4と違ったところは上記の導電体（2）の正極導電体（21）と負極導電体（22）がそれぞれ支持フレーム（1）に設けられたソケットまたはジャック（41）、（42）の中に設置され、発光ユニット（3）の正極（32A）と負極（32B）が基板（31）に設けられたプラグ（51）、(52)に設置され、プラグ（51）、（52）が導線（61）、（62）を介してプラグ（71）、（72）と接続され、発光ユニット（3）の正極（32A）と負極（32B）が基板（31）に設けられたソケットまたはジャック（81）、(82)に設置され、プラグ（51）、（52）が導線（61）、（62）を介してプラグ（71）、（72）と接続され、発光ユニット（3）がプラグ（71）、（72）を介して支持フレーム（1）に設けられたソケットまたはジャック（41）、（42）に挿着され、発光ユニット（3）の正極（32A）と負極（32B）がプラグ（51）、（52）を介して支持フレーム（1）に設けられたソケットまたはジャック（81）、（82）に挿着され、発光ユニット（3）の正極（32A）と負極（32B）がそれぞれ導電体（2）の正極導電体(21)と負極導電体（22）に電気的に接続される。
【００３９】
本発明を使用する時には、図5−4に示すように、導電体（2）の正極導電体（21）と負極導電体（22）を低電圧電源に接続して、導電体（2）の正極導電体（21）と負極導電体（22）が発光体（32）の正極（32A）と負極（32B）と接続される。他の原理は実施例２に類似している。
【実施例６】
【００４０】
本発明の構成概略図は図6−1、図6−2、図6−3、図6−4に示すように、その構造が実施例4と違ったところは上記の導電体（2）の正極導電体（21）と負極導電体（22）が支持フレーム（1）に設けられたソケットまたはジャック（4）の中に設置され、発光ユニット（3）の正極（32A）と負極（32B）が基板（31）に設けられたプラグまたはソケット（5）に設置され、発光ユニット（3）がプラグまたはソケット（5）を介して支持フレーム（1）に設けられたソケットまたはジャック（4）に挿着され、発光ユニット（3）の正極（32A）と負極（32B）がそれぞれ導電体（2）の正極導電体(21)と負極導電体（22）に電気的に接続される。
【００４１】
本発明を使用する時には、図6−4に示すように、導電体（2）の正極導電体（21）と負極導電体（22）を低電圧電源に接続して、発光ユニット（3）のプラグまたはソケット（5）を支持フレーム（1）に設けられたソケットまたはジャック（4）に挿着して、導電体（2）の正極導電体（21）と負極導電体（22）が発光体（32）の正極（32A）と負極（32B）と接続される。他の原理は実施例２に類似している。
【実施例７】
【００４２】
本発明の構成概略図は図7−1、図7−2、図7−3、図7−4に示すように、その構造が実施例6と違ったところは上記の導電体（2）の正極導電体（21）と負極導電体（22）がそれぞれ支持フレーム（1）に設けられたソケットまたはジャック（41）、（42）の中に設置され、発光ユニット（3）の基板（31）に設けられた正極（32A）と負極（32B）が支持フレーム（1）に設けられたソケットまたはジャック（41）、（42）に直接に挿着され、または発光ユニット（3）の正極（32A）と負極（32B）が基板（31）に設けられたプラグ（51）、(52)に設置され、発光ユニット（3）がプラグ（51）、（52）を介して支持フレーム（1）に設けられたソケットまたはジャック（41）、（42）に挿着され、発光ユニット（3）の正極（32A）と負極（32B）がそれぞれ導電体（2）の正極導電体(21)と負極導電体（22）に電気的に接続される。
【００４３】
本発明を使用する時には、図7−4に示すように、導電体（2）の正極導電体（21）と負極導電体（22）を低電圧電源に接続して、発光ユニット（3）のプラグ（51）、（52）を支持フレーム（1）に設けられたソケットまたはジャック（41）、（42）に挿着して、導電体（2）の正極導電体（21）と負極導電体（22）が発光体（32）の正極（32A）と負極（32B）と接続される。他の原理は実施例２に類似している。
【実施例８】
【００４４】
本発明の構成概略図は図8−1、図8−2、図8−3、図8−4に示すように、その構造が実施例1と違ったところは上記の支持フレーム（1）に凹形の溝が設けられ、導電体（2）の正極導電体（21）と負極導電体（22）が電極ボードとして作製され、それぞれ支持フレーム（1）に設けられた凹形の溝の上下内側に設置され、発光ユニット（3）の正極（32A）と負極（32B）が弾性電極として作製され、それぞれ基板（31）の上側及び下側に設置され、発光ユニット（3）の基板（31）が支持フレーム（1）に設置された凹形の溝に挿着され、発光ユニット（3）の正極（32A）と負極（32B）がそれぞれ導電体（2）の正極導電体(21)と負極導電体（22）に電気的に接続される。
【００４５】
本発明を使用する時には、図8−4に示すように、導電体（2）の正極導電体（21）と負極導電体（22）を低電圧電源に接続して、発光ユニット（3）の弾性電極を支持フレーム（1）に設けられた凹形の溝の上内側と下内側の電極のボードに挿着して、導電体（2）の正極導電体（21）と負極導電体（22）が発光体（32）の正極（32A）と負極（32B）と接続される。他の原理は実施例２に類似している。
【実施例９】
【００４６】
本発明の構造構成概略図は図9−1、図9−2、図9−3、図9−4に示すように、その構造が実施例8と違ったところは上記の支持フレーム（1）に設けられた凹形の溝がその上内側または下内側にあり、導電体（2）の正極導電体（21）と負極導電体（22）が電極ボードとして作製され、全部支持フレーム（1）の上内側あるいは下内側に設置され、発光ユニット（3）の正極（32A）と負極（32B）が弾性電極として作製され、それぞれ基板（31）の上側に設置され、発光ユニット（3）の基板（31）が支持フレーム（1）に設置された凹形の溝に挿着され、発光ユニット（3）の正極（32A）と負極（32B）がそれぞれ導電体（2）の正極導電体(21)と負極導電体（22）に電気的に接続される。
【００４７】
本発明を使用する時には、図9−4に示すように、導電体（2）の正極導電体（21）と負極導電体（22）を低電圧電源に接続して、発光ユニット（3）の弾性電極を支持フレーム（1）に設けられた凹形の溝の上内側または下内側の電極ボードに挿着して、導電体（2）の正極導電体（21）と負極導電体（22）が発光体（32）の正極（32A）と負極（32B）と接続される。他の原理は実施例２に類似している。
【実施例１０】
【００４８】
本発明の構成概略図は図10−1、図10−2、図10−3に示すように、その構造が実施例1と違ったところは上記の支持フレーム（1）が磁性薄膜として作製され、導電体（2）の正極導電体（21）と負極導電体（22）が磁性薄膜の上に設置され、発光ユニット（3）の正極（32A）と負極（32B）がそれぞれ基板（31）の背面に設置され、発光ユニット（3）が基板（31）の背面に設けられた磁性部品（8）で支持フレーム（1）に吸着され、発光ユニット（3）の正極（32A）と負極（32B）がそれぞれ導電体（2）の正極導電体(21)と負極導電体（22）に電気的に接続される。
【００４９】
本実施例においては、上記の導電体（2）が棒状に作製され、正極導電体（21）と負極導電体（22）が交替で設置され、そして正極導電体と正極導電体との間が電気的に接続され、負極導電体と負極導電体との間も電気的に接続され、いずれの正極導電体もその隣接した負極導電体との間の距離が発光ユニット（3）の正極（32A）と負極（32B）との間の距離に相当する。
【００５０】
本発明を使用する時には、図10−3に示すように、導電体（2）の正極導電体（21）と負極導電体（22）を低電圧電源に接続して、発光ユニット（3）が基板（31）の背面に設けられた磁性部品（8）で支持フレーム（1）に吸着され、導電体（2）の正極導電体（21）と負極導電体（22）が発光体（32）の正極（32A）と負極（32B）と接続される。他の原理は実施例２に類似している。
【実施例１１】
【００５１】
本発明の構成概略図は図11−1、図11−2に示すように、その構成が実施例10と同じで、違ったところは上記の導電体（2）が格子構造に作製され、いずれの正極導電体もその隣接した負極導電体との間の距離が発光ユニット（3）の正極（32A）と負極（32B）との間の距離に相当する。本実施例の作業原理は実施例10に類似している。
【図面の簡単な説明】
【００５２】
【図１−１】：本発明の実施例1に係る導電体の正極導電ロッドと負極導電ロッドを支持フレーム（1）に取り付けた構成概略図である。
【図１−２】：本発明の実施例1に係る発光ユニット（3）の構成概略図である。
【図１−３】：図１−2の背面図である。
【図１−４】：本発明の実施例1に係る使用状態図である。
【図１−５】：図1−4の背面図である。
【図２−１】：本発明の実施例2に係る構成概略図である。
【図２−２】：本発明の実施例2に係る導電体（2）の正極導電体（21）と負極導電体（22）を支持フレーム（1）に取り付けた正面図である。
【図２−３】：本発明の実施例2に係る発光ユニット（3）の構成概略図である。
【図２−４】：図2−3の背面図である。
【図２−５】：本発明の実施例2に係る使用状態図である。
【図３−１】：本発明の実施例3に係る構成概略図である。
【図３−２】：本発明の実施例3に係る導電体（2）の正極導電体（21）と負極導電体（22）を支持フレーム（1）に取り付けた正面図である。
【図３−３】：本発明の実施例3に係る発光ユニット（3）の構成概略図である。
【図３−４】：図3−3の背面図である。
【図３−５】：本発明の実施例3に係る使用状態図である。
【図４−１】：本発明の実施例4に係る導電体（2）の正極導電体（21）と負極導電体（22）を支持フレーム（1）に取り付けた構成概略図である。
【図４−２】：本発明の実施例4に係る導線接続の概略図である。
【図４−３】：本発明の実施例4に係る発光ユニット（3）の構成概略図である。
【図４−４】：本発明の実施例４に係る使用状態図である。
【図５−１】：本発明の実施例5に係る導電体（2）の正極導電体（21）と負極導電体（22）を支持フレーム（1）に取り付けた構成概略図である。
【図５−２】：本発明の実施例5に係る導線接続の概略図である。
【図５−３】：本発明の実施例5に係る発光ユニット（3）の構成概略図である。
【図５−４】：本発明の実施例5に係る使用状態図である。
【図６−１】：本発明の実施例6に係る導電体（2）の正極導電体（21）と負極導電体（22）を支持フレーム（1）に取り付けた構成概略図である。
【図６−２】：本発明の実施例6に係る発光ユニット（3）の構成概略図である。
【図６−３】：図6−2の背面図である。
【図６−４】：本発明の実施例6に係る使用状態図である。
【図７−１】：本発明の実施例7に係る導電体（2）の正極導電体（21）と負極導電体（22）を支持フレーム（1）に取り付けた構成概略図である。
【図７−２】：本発明の実施例7に係る発光ユニット（3）の構成概略図である。
【図７−３】：図7−2の背面図である。
【図７−４】：本発明の実施例7に係る使用状態図である。
【図８−１】：本発明の実施例8に係る構成概略図である。
【図８−２】：本発明の実施例8に係る支持フレーム（1）の正面図である。
【図８−３】：本発明の実施例8に係る発光ユニット（3）の構成概略図である。
【図８−４】：本発明の実施例8に係る使用状態図である。
【図９−１】：本発明の実施例9に係る導電体（2）の正極導電体（21）と負極導電体（22）を支持フレーム（1）に取り付けた構成概略図である。
【図９−２】：本発明の実施例9に係る支持フレーム（1）の構成概略図である。
【図９−３】：本発明の実施例9に係る発光ユニット（3）の構成概略図である。
【図９−４】：本発明の実施例9に係る使用状態図である。
【図１０−１】：本発明の実施例10に係る導電体（2）の正極導電体（21）と負極導電体（22）を支持フレーム（1）に取り付けた構成概略図である。
【図１０−２】：本発明の実施例10に係る発光ユニット（3）の構成概略図である。
【図１０−３】：図10−2の背面図である。
【図１１−１】：本発明の実施例11に係る導電体（2）の正極導電体（21）と負極導電体（22）を支持フレーム（1）に取り付けた構成概略図である。
【図１１−２】：本発明の実施例11に係る使用状態図である。
【符号の説明】
【００５３】
１：支持フレーム
２：導電体
２１：正極導電体
２２：負極導電体
３：発光ユニット
３１：基板
３２：発光体
３２Ａ：正極
３２Ｂ：負極
４、４１、４２、８、８１、８２：ソケットまたはジャック
５：プラグまたはソケット
５１、５２、７、７１、７２：プラグ
６、６１、６２：導線
Ａ、Ａ１、Ａ２：溝
Ｂ、Ｂ１、Ｂ２：挿入突起
８：磁性部品
【図１−１】
2007514191.tif 000003
【図１−２】
2007514191.tif 000004
【図１−３】
2007514191.tif 000005
【図１−４】
2007514191.tif 000006
【図１−５】
2007514191.tif 000007
【図２−１】
2007514191.tif 000008
【図２−２】
2007514191.tif 000009
【図２−３】
2007514191.tif 000010
【図２−４】
2007514191.tif 000011
【図２−５】
2007514191.tif 000012
【図３−１】
2007514191.tif 000013
【図３−２】
2007514191.tif 000014
【図３−３】
2007514191.tif 000015
【図３−４】
2007514191.tif 000016
【図３−５】
2007514191.tif 000017
【図４−１】
2007514191.tif 000018
【図４−２】
2007514191.tif 000019
【図４−３】
2007514191.tif 000020
【図４−４】
2007514191.tif 000021
【図５−１】
2007514191.tif 000022
【図５−２】
2007514191.tif 000023
【図５−３】
2007514191.tif 000024
【図５−４】
2007514191.tif 000025
【図６−１】
2007514191.tif 000026
【図６−２】
2007514191.tif 000027
【図６−３】
2007514191.tif 000028
【図６−４】
2007514191.tif 000029
【図７−１】
2007514191.tif 000030
【図７−２】
2007514191.tif 000031
【図７−３】
2007514191.tif 000032
【図７−４】
2007514191.tif 000033
【図８−１】
2007514191.tif 000034
【図８−２】
2007514191.tif 000035
【図８−３】
2007514191.tif 000036
【図８−４】
2007514191.tif 000037
【図９−１】
2007514191.tif 000038
【図９−２】
2007514191.tif 000039
【図９−３】
2007514191.tif 000040
【図９−４】
2007514191.tif 000041
【図１０−１】
2007514191.tif 000042
【図１０−２】
2007514191.tif 000043
【図１０−３】
2007514191.tif 000044
【図１１−１】
2007514191.tif 000045
【図１１−２】
2007514191.tif 000046
【国際調査報告】
2007514191.tif 000047
2007514191.tif 000048